(57)【要約】【課題】  シャットダウンＳＷを操作することなく電源ＳＷをオフしたことを報知することができるファクシミリ複合機を提供する。【解決手段】  メモリカード２へのデータの読み書きを制御する入出力制御回路１８と、入出力制御回路１８に電源供給を行うオン状態及び電源供給を遮断するオフ状態を切り替え可能な電源ＳＷ１５と、電源ＳＷ１５のオン状態への切り替え操作後のユーザ操作に基づいてシャットダウン信号を生成するシャットダウンＳＷ１３ａと、シャットダウン信号に基づいて入出力制御回路１８に読み書きの終了処理を行わせるシャットダウン制御部４１と、上記切り替え操作に基づいてセットされシャットダウン信号に基づいてリセットされる状態フラグを記憶するフラグ記憶部４３と、電源ＳＷ１５のオン時に前回のオフ時におけるシャットダウンＳＷ１３ａの操作に関するメッセージを状態フラグに基づいて報知するスイッチ操作報知部４４により構成される。【選択図】  図２
2008131299.tif 000002
【特許請求の範囲】
【請求項１】
不揮発性記憶手段に対するデータの読み書きを制御する入出力制御手段と、
上記入出力制御手段に対して電源供給を行うオン状態及び電源供給を遮断するオフ状態の切り替え可能な電源スイッチと、
上記電源スイッチに対するオン状態への切り替え操作後のユーザ操作に基づいてシャットダウン信号を生成するシャットダウンスイッチと、
上記シャットダウン信号に基づいて上記入出力制御手段に読み書きの終了処理を行わせるシャットダウン制御手段と、
上記切り替え操作に基づいてセットされ、上記シャットダウン信号に基づいてリセットされる状態フラグを記憶するフラグ記憶手段と、
上記電源スイッチのオン時に、前回のオフ時における上記シャットダウンスイッチの操作に関するメッセージを上記状態フラグに基づいて報知するスイッチ操作報知手段とを備えたことを特徴とするファクシミリ複合機。
【請求項２】
上記スイッチ操作報知手段は、電源オフ時の操作手順を示すメッセージを報知することを特徴とする請求項１に記載のファクシミリ複合機。
【請求項３】
通信回線網を介して通信データを受信するデータ受信手段と、
受信した通信データを用紙に印刷するデータ印刷手段とを備え、
上記スイッチ操作報知手段が、上記データ印刷手段に上記メッセージを印刷させることを特徴とする請求項１に記載のファクシミリ複合機。
【発明の詳細な説明】
【技術分野】
【０００１】
本発明は、ファクシミリ複合機に係り、さらに詳しくは、電源スイッチのオン時に生成されたシャットダウン信号に基づいてデータの読み書きの終了処理が行われるファクシミリ複合機の改良に関する。
【背景技術】
【０００２】
スキャナで読み取り、或いは、通信回線を介して受信した画像データをメモリカードなどの着脱可能な記録媒体に記憶させることができるファクシミリ複合機が従来から知られている。記録媒体上に蓄積させた画像データは、記録媒体を装着することにより、パーソナルコンピュータなどの他の機器上で閲覧編集することができる。一般に、メモリカードなどのストレージデバイス（不揮発性のメモリ）に対するデータの読み書きは、ＳＲＡＭ（Static Random Access Memory）などの揮発性メモリを介して行われる。このため、電源オフ時には、この様なデータの読み書きについて、所定の終了処理、いわゆるシャットダウン処理を行わせる必要がある。シャットダウン処理を行うことなく、電源供給をオフすると、ストレージデバイスが破損し、或いは、蓄積データを読み出せなくなってしまう場合があった。
【特許文献１】特開２００５−３０２０１０号公報
【特許文献２】特開２００４−９４４９４号公報
【発明の開示】
【発明が解決しようとする課題】
【０００３】
ストレージデバイスに対する読み書きの終了処理を電源オフ時に行わせる方法として、電源スイッチの状態を電子的に保持させ、オン状態からオフ状態への遷移時には、電源供給を遮断する前に、終了処理を自動的に行わせることが考えられる。しかしながら、この方法では、電源スイッチの状態を電子的に保持させる必要があるので、オフ状態においても電力を消費し、また、構造が複雑化することから、製造コストが増大してしまうという問題があった。
【０００４】
そこで、状態を機械的に保持する電源スイッチとは別にシャットダウン用のスイッチを設け、このスイッチの操作に基づいてシャットダウン処理を行わせるようにすることが考えられる。しかし、電源オフ時にはシャットダウンスイッチの操作が必要であることをユーザが知らず、或いは、忘れてしまい、そのため、シャットダウンスイッチを操作することなく電源スイッチを操作してしまうことが少なくないという問題があった。
【０００５】
本発明は、上記事情に鑑みてなされたものであり、電源オフ時にシャットダウンスイッチを操作することなく電源スイッチをオフしたことを報知することができるファクシミリ複合機を提供することを目的としている。
【課題を解決するための手段】
【０００６】
第１の本発明によるファクシミリ複合機は、不揮発性記憶手段に対するデータの読み書きを制御する入出力制御手段と、上記入出力制御手段に対して電源供給を行うオン状態及び電源供給を遮断するオフ状態の切り替え可能な電源スイッチと、上記電源スイッチに対するオン状態への切り替え操作後のユーザ操作に基づいてシャットダウン信号を生成するシャットダウンスイッチと、上記シャットダウン信号に基づいて上記入出力制御手段に読み書きの終了処理を行わせるシャットダウン制御手段と、上記切り替え操作に基づいてセットされ、上記シャットダウン信号に基づいてリセットされる状態フラグを記憶するフラグ記憶手段と、上記電源スイッチのオン時に、前回のオフ時における上記シャットダウンスイッチの操作に関するメッセージを上記状態フラグに基づいて報知するスイッチ操作報知手段とを備えて構成される。
【０００７】
このファクシミリ複合機では、電源スイッチに対するオン状態への切り替え操作後のユーザ操作に基づいて、シャットダウンスイッチによりシャットダウン信号が生成され、シャットダウン制御手段がシャットダウン信号に基づいて読み書きの終了処理を入出力制御手段に行わせる。その際、電源スイッチに対するオン状態への切り替え操作に基づいてセットされ、そして、シャットダウン信号に基づいてリセットされる状態フラグが記憶される。電源スイッチのオン時には、前回のオフ時におけるシャットダウンスイッチの操作に関するメッセージがこの様な状態フラグに基づいて報知される。この様な構成によれば、電源スイッチのオン時に状態フラグに基づいてメッセージが報知されるので、前回の電源オフ時にシャットダウンスイッチを操作することなく、電源スイッチをオフしたことを適切に報知することができる。
【０００８】
第２の本発明によるファクシミリ複合機は、上記構成に加え、上記スイッチ操作報知手段が、電源オフ時の操作手順を示すメッセージを報知するように構成される。この様な構成によれば、電源オフ時の操作手順を示すメッセージが報知されるので、電源オフ時にはシャットダウンスイッチの操作が必要であることをユーザに知らせることができるとともに、その操作手順を認識させることができる。
【０００９】
第３の本発明によるファクシミリ複合機は、上記構成に加え、通信回線網を介して通信データを受信するデータ受信手段と、受信した通信データを用紙に印刷するデータ印刷手段とを備え、上記スイッチ操作報知手段が、上記データ印刷手段に上記メッセージを印刷させるように構成される。この様な構成によれば、電源スイッチのオン時にシャットダウンスイッチの操作に関するメッセージが印刷されるので、ユーザに対してより効果的に報知することができる。
【発明の効果】
【００１０】
本発明によるファクシミリ複合機によれば、電源スイッチのオン時に状態フラグに基づいてメッセージが報知されるので、前回の電源オフ時にシャットダウンスイッチを操作することなく、電源スイッチを操作したことを適切に報知することができる。
【発明を実施するための最良の形態】
【００１１】
図１は、本発明の実施の形態によるファクシミリ複合機１の概略構成の一例を示したブロック図である。このファクシミリ複合機１は、電源オン時におけるシャットダウンＳＷ１３ａの操作に基づいて、メモリカード２に対するデータの読み書きの終了処理を行う電子機器である。ファクシミリ複合機１は、マイクロプロセッサ１０、送受信回路１１、表示制御回路１２、ＬＣＤ１２ａ、タッチパネル１３、操作入力処理回路１４、電源ＳＷ１５、電源回路１６、カードスロット１７、入出力制御回路１８、ＲＡＭ１９、画像読取装置２０及び印刷装置３０により構成される。
【００１２】
マイクロプロセッサ１０は、他の回路１１，１２，１８、画像読取装置２０及び印刷装置３０の動作を制御する制御回路であり、例えば、半導体チップからなる。送受信回路１１は、通信回線網を介して他の端末装置へ通信データを送信し、或いは、他の端末装置からの通信データを受信する処理を行っている。ここでは、通信回線網として、電話回線網の他、ＬＡＮ（Local Area Network）などが想定される。
【００１３】
ＬＣＤ（Liquid Crystal Display：液晶ディスプレイ）１２ａは、表示画面を有するデータの出力装置である。表示制御回路１２は、通信データの送受信情報、タッチパネル１３による操作情報、画像読取情報、印刷情報をＬＣＤ１２ａの表示画面上に表示させる動作を行っている。
【００１４】
タッチパネル１３は、指が触れた画面上の位置を検知して位置に応じた入力信号を生成する入力装置である。ここでは、ＬＣＤ１２ａの表示画面上に操作用のアイコンが表示され、このアイコンを指で触れることにより、入力信号が生成されるものとする。また、この様なアイコンの１つとして、シャットダウンＳＷ（スイッチ）１３ａが設けられるものとする。シャットダウンＳＷ１３ａは、電源ＳＷ１５に対するオン状態への切り替え操作後のユーザ操作に基づいて、シャットダウン信号を生成するスイッチである。
【００１５】
電源ＳＷ（スイッチ）１５は、オン状態及びオフ状態の切り替え可能なスイッチであって、オン状態において電源回路１６に対して電源供給を行い、オフ状態において電源回路１６への電源供給を遮断するスイッチである。具体的には、ユーザが選択した状態を機械的に保持するスイッチ、例えば、トグルスイッチが電源ＳＷ１５として用いられる。電源回路１６は、電源ＳＷ１５のオン時に家庭用電源から得られる交流電圧を直流電圧に変換し、マイクロプロセッサ１０、回路１１，１２，１４，１８、タッチパネル１３、ＲＡＭ１９、画像読取装置２０及び印刷装置３０へ供給する動作を行っている。
【００１６】
操作入力処理回路１４は、タッチパネル１３からの入力信号に基づいて所定の入力処理を行っている。
【００１７】
カードスロット１７は、メモリカード２を着脱可能に収容するためのメモリカードの収容装置である。このメモリカード２は、筐体内に、フラッシュメモリ及びその入出力コントローラが設けられたチップ状の記録媒体である。フラッシュメモリは、データを書き換え可能に記憶する不揮発性の半導体記憶素子からなるストレージデバイスであり、入出力コントローラにより、データの読み書きが制御される。
【００１８】
入出力制御回路１８は、カードスロット１７内に収容されたメモリカード２に対するデータの読み書きを制御する動作を行っている。例えば、ＲＡＭ１９上の画像データをメモリカード２に書き込み、或いは、メモリカード２上のデータをＲＡＭ１９に読み出す動作が行われる。このＲＡＭ１９は、データを書き換え可能に記憶する揮発性の半導体記憶素子からなるメモリである。ＲＡＭ１９は、通常、メモリカード２に比べて記憶容量が小さく、より高速で読み書きすることができる。ここでは、この様なＲＡＭ１９として、記憶保持のための動作を必要としないＳＲＡＭ、又は、一定時間ごとに記憶保持のための再書き込み（リフレッシュ）を必要とするＤＲＡＭ（Dynamic Random Access Memory）が用いられるものとする。
【００１９】
入出力制御回路１８では、操作入力処理回路１４からの指示に基づいて、メモリカード２に対するデータの読み書きを終了させるシャットダウン処理が行われる。このシャットダウン処理は、ＲＡＭ１９上の処理中のデータをメモリカード２に書き込む所定の終了処理であり、電源ＳＷ１５に対するオン状態への切り替え操作後のシャットダウンＳＷ１３ａの操作に基づいて実行される。
【００２０】
本実施の形態では、画像データなどを蓄積させるストレージデバイスの一例として、メモリカード２が用いられる場合について説明するが、メモリカード２に代えて、ハードディスクなどの磁気記憶装置を用いても良い。
【００２１】
画像読取装置２０は、読み取り対象とする原稿に光を照射し、当該原稿による反射光を受光して画像データを生成する撮像装置である。ここでは、原稿の紙送り方向に照射光を走査（スキャン）させることにより、原稿が読み取られるものとする。原稿から読み取った画像データは、通信回線網を介して他の端末装置へ送信し、或いは、印刷装置３０に印刷させることができる。
【００２２】
通信回線網を介して受信した画像データと、画像読取装置２０が読み取った画像データは、ＲＡＭ１９上に保持され、必要に応じてメモリカード２に書き込まれることとなる。
【００２３】
印刷装置３０は、画像データの出力装置であり、プリントヘッド３１、プリンタ機構３２及び駆動制御部３３からなる。プリンタ機構３２は、感光体ドラム、帯電器、現像装置、転写装置及び定着装置からなる。
【００２４】
プリントヘッド３１は、複数のＬＥＤ（Light Emitting Diode：発光ダイオード）を直線上に配置させたＬＥＤアレイを備え、ＲＡＭ１９上の画像データに基づいて、光を感光体ドラムに照射する動作を行っている。
【００２５】
駆動制御部３３は、プリントヘッド３１及びプリンタ機構３２の駆動制御を行っている。ここで、感光体ドラムは、表面に感光体層が形成された円筒状の回転体であり、印刷時には、帯電器により表面が一様に帯電される。この様に帯電された感光体ドラムの表面に、光を照射することにより、静電潜像が形成される。
【００２６】
現像装置は、静電潜像が形成された感光体ドラムの表面に、トナーを付着させて、トナー像を形成させる動作を行っている。転写装置は、感光体ドラムの表面に形成されたトナー像を用紙に転写させる動作を行っている。定着装置は、トナー像が転写された用紙を加熱処理及び加圧処理し、画像を用紙表面に定着させる動作を行っている。
【００２７】
図２は、図１のファクシミリ複合機１における操作入力処理回路１４の構成例を示したブロック図である。この操作入力処理回路１４は、シャットダウン制御部４１、フラグ制御部４２、フラグ記憶部４３及びスイッチ操作報知部４４により構成される。シャットダウン制御部４１は、シャットダウンＳＷ１３ａからのシャットダウン信号に基づいて、入出力制御回路１８に対してシャットダウン処理を行うよう指示する動作を行っている。
【００２８】
フラグ制御部４２は、状態フラグをセットし、或いは、リセットする動作を行っている。具体的には、電源ＳＷ１５に対するオン状態への切り替え操作に基づいて状態フラグをセットし、シャットダウンＳＷ１３ａからのシャットダウン信号に基づいてリセットする処理が行われる。この状態フラグは、例えば、セット時に論理値「０」から「１」に遷移し、リセット時に論理値「１」から「０」に遷移するフラグとなっている。なお、セット時に論理値「１」から「０」に遷移し、リセット時に論理値「０」から「１」に遷移するものであっても良い。フラグ記憶部４３は、この様な状態フラグを書き換え可能に記憶する不揮発性メモリである。
【００２９】
ここでは、電源ＳＷ１５に対するオン状態への切り替え操作は、オン状態への状態遷移により開始される電源回路１６への電源供給に基づいて検知されるものとする。
【００３０】
スイッチ操作報知部４４は、電源ＳＷ１５のオン時に、前回のオフ時におけるシャットダウンＳＷ１３ａの操作に関する所定のメッセージを状態フラグに基づいて報知する処理を行っている。具体的には、電源ＳＷ１５に対するオフ状態からオン状態への切り替え操作時に、状態フラグが論理値「１」である場合、シャットダウンＳＷ１３ａを操作せずに電源ＳＷ１５をオフしたことがメッセージにより報知される。一方、上記切り替え操作時に、状態フラグが論理値「０」である場合には、報知は行われない。
【００３１】
報知されるメッセージには、電源オフ時の操作手順、特に、シャットダウンＳＷ１３ａの操作手順が示される。ここでは、この様なメッセージからなる印刷用データが印刷装置３０へ出力され、印刷装置３０に対して当該印刷用データを印刷するよう指示する動作が行われるものとする。
【００３２】
この様なメッセージとしては、例えば、「シャットダウンＳＷが正しく操作されませんでした。」、「電源ＳＷをオフする際は、下記操作手順に従って操作して下さい。１：まず、シャットダウンＳＷを操作してシャットダウン処理を実行させる。２：次に、シャットダウン処理が正常に終了したことを確認し、電源ＳＷをオフする。」、「シャットダウンＳＷを操作せずに電源ＳＷをオフすると、データが失われる場合があります。」などが考えられる。印刷装置３０では、この様なメッセージを用紙に印刷して排紙トレイ上に排出する動作が行われる。
【００３３】
この様な構成によれば、受信データを印刷して排出されるのと同様に、メッセージの印刷された用紙が排紙トレイ上に排出されるので、画面上に表示するのに比べて、ユーザの目に付き易く、注意を喚起するという観点から、より効果が大きい。特に、ファクシミリ複合機１では、パーソナルコンピュータなどの情報処理端末に比べて、表示画面のサイズが小さく、また、ユーザが画面を注視していない場合が多いので、メッセージを用紙に印刷させることにより、ユーザが認識するのを容易化することができる。
【００３４】
また、ファクシミリ複合機１では、通信回線網を介して通信データを受信する必要があることから、電源ＳＷ１５をオフする頻度は余り多くはない。このため、シャットダウンＳＷ１３ａの位置や操作手順が判りづらい場合が少なくない。この様な場合であっても、電源オフ時の操作手順を示したメッセージを印刷することにより、ユーザに操作手順を認識させることができる。
【００３５】
図３及び図４は、図１のファクシミリ複合機１における動作の一例を示したタイミングチャートである。図３には、電源オフ時に電源ＳＷ１５をオフする前にシャットダウンＳＷ１３ａが正しく操作された場合が示されている。まず、電源ＳＷ１５に対するオン状態への切り替え操作に基づいて、電源回路１６への電源供給がオンされ、状態フラグが論理値「０」から「１」にセットされる。
【００３６】
その後、シャットダウンＳＷ１３ａが操作されると、その操作入力に基づいてシャットダウン信号が生成され、入出力制御回路１８においてシャットダウン処理が開始される。このとき、状態フラグは、論理値「１」から「０」にリセットされる。
【００３７】
シャットダウン処理の終了後、電源ＳＷ１５がオフされると、そのオフ状態への切り替え操作に基づいて、電源供給がオフされる。次に、電源ＳＷ１５がオンされると、そのオン状態への切り替え操作に基づいて、電源供給がオンされる。
【００３８】
これに対し、図４には、電源オフ時にシャットダウンＳＷ１３ａを操作せずに電源ＳＷ１５がオフされた場合が示されている。まず、電源ＳＷ１５に対するオン状態への切り替え操作に基づいて、電源回路１６への電源供給がオンされ、状態フラグが論理値「０」から「１」にセットされる。
【００３９】
その後、シャットダウンＳＷ１３ａを操作することなく、電源ＳＷ１５がオフされると、そのオフ状態への切り替え操作に基づいて、電源供給がオフされる。次に、電源ＳＷ１５がオンされると、そのオン状態への切り替え操作に基づいて、電源供給がオンされる。このとき、状態フラグは、電源ＳＷ１５に対する切り替え操作の前後で論理値「１」のままとなって状態が変化しない。スイッチ操作報知部４４では、状態フラグのこの様な動作特性に基づいて、電源オフ時におけるシャットダウンＳＷ１３ａの操作の有無が検知され、所定のメッセージを印刷装置３０に印刷させる報知処理が行われる。
【００４０】
本実施の形態によれば、電源ＳＷ１５のオン時に状態フラグに基づいてメッセージが報知されるので、前回の電源オフ時にシャットダウンＳＷ１３ａを操作することなく、電源ＳＷ１５をオフしたことを適切に報知することができる。特に、電源オフ時の操作手順を示すメッセージが報知されるので、電源オフ時にはシャットダウンＳＷ１３ａの操作が必要であることをユーザに知らせることができるとともに、その操作手順を認識させることができる。さらに、電源ＳＷ１５のオン時にシャットダウンＳＷ１３ａの操作に関するメッセージが印刷されるので、ユーザに対してより効果的に報知することができる。
【００４１】
なお、本実施の形態では、原稿から画像を読み取る画像読取機能を備えたファクシミリ複合機に本発明を適用する場合の例について説明したが、本発明はこれに限られるものではない。例えば、画像読取機能を有しないファクシミリ複合機にも本発明は適用することができる。
【００４２】
また、本実施の形態では、前回のオフ時におけるシャットダウンＳＷ１３ａの操作に関するメッセージが印刷される場合の例について説明したが、本発明はこれに限られるものではない。例えば、メッセージをＬＣＤ１２ａの表示画面上に表示させて報知するものであっても良い。
【図面の簡単な説明】
【００４３】
【図１】本発明の実施の形態によるファクシミリ複合機１の概略構成の一例を示したブロック図である。
【図２】図１のファクシミリ複合機１における操作入力処理回路１４の構成例を示したブロック図である。
【図３】図１のファクシミリ複合機１における動作の一例を示したタイミングチャートであり、シャットダウンＳＷ１３ａが正しく操作された場合が示されている。
【図４】図１のファクシミリ複合機１における動作の一例を示したタイミングチャートであり、シャットダウンＳＷ１３ａが正しく操作されなかった場合が示されている。
【符号の説明】
【００４４】
１  ファクシミリ複合機
２  メモリカード
１０  マイクロプロセッサ
１１  送受信回路
１２  表示制御回路
１２ａ  ＬＣＤ
１３  タッチパネル
１３ａ  シャットダウンＳＷ
１４  操作入力処理回路
１５  電源ＳＷ
１６  電源回路
１７  カードスロット
１８  入出力制御回路
１９  ＲＡＭ
２０  画像読取装置
３０  印刷装置
３１  プリントヘッド
３２  プリンタ機構
３３  駆動制御部
４１  シャットダウン制御部
４２  フラグ制御部
４３  フラグ記憶部
４４  スイッチ操作報知部
【図１】
2008131299.tif 000003
【図２】
2008131299.tif 000004
【図３】
2008131299.tif 000005
【図４】
2008131299.tif 000006